(57)【要約】【課題】棚板に取り付けられるハンガーを用途に応じて自由に付け替えることができるとともに、内キャビネット内の収納レイアウトを自由に変更することができる昇降式吊戸棚を提供すること。【解決手段】下方が開口した固定式の外キャビネット２と、前面が開口した可動式の内キャビネット３を備え、前記内キャビネット３を前記外キャビネット２に対して昇降可能に支持するとともに、該内キャビネット３の左右の側板３ａ間に棚板６を水平に架設して成る昇降式吊戸棚１において、前記棚板６の下面にガイドレールを左右方向に形成し、該ガイドレールにスライド可能に嵌合するスライドブロック９を介してハンガー８を前記棚板６に左右方向にスライド可能且つ着脱可能に取り付ける。【選択図】図２
2010253001.tif 000002
【特許請求の範囲】
【請求項１】
下方が開口した固定式の外キャビネットと、前面が開口した可動式の内キャビネットを備え、前記内キャビネットを前記外キャビネットに対して昇降可能に支持するとともに、該内キャビネットの左右の側板間に棚板を水平に架設して成る昇降式吊戸棚において、
前記棚板の下面にガイドレールを左右方向に形成し、該ガイドレールにスライド可能に嵌合するスライドブロックを介してハンガーを前記棚板に左右方向にスライド可能且つ着脱可能に取り付けたことを特徴とする昇降式吊戸棚。
【請求項２】
前記スライドブロックを、前記ハンガーを支持する下ブロックと、前記ガイドレールに嵌合し係止した状態と取り外し可能な状態との間で水平回動可能な上ブロックとで構成し、該上ブロックが前記ガイドレールに嵌合し係止した状態で前記下ブロックを前記ハンガーと共にネジによって上ブロックに螺着して位置決め固定することを特徴とする請求項１記載の昇降式吊戸棚。
【請求項３】
前記内キャビネットの左右の側板の前端縁における高さ方向中間部の一部を後退させ、その後退部の谷のやや上方に前記棚板を取り付けたことを特徴とする請求項１又は２記載の昇降式吊戸棚。
【発明の詳細な説明】
【技術分野】
【０００１】
本発明は、固定式の外キャビネットに対して可動式の内キャビネットを昇降可能とした昇降式吊戸棚に関するものである。
【背景技術】
【０００２】
キッチンのシンクや調理台、ガス台等の上方には、吊戸棚が天井又は壁面に吊り下げ固定されているが、この固定式の吊戸棚はキッチンに立つユーザーの目線の位置（アイレベル）よりも高い位置に設置されているため、これへの台所用品や食器類等の出し入れが容易でなく、使用頻度の低い物しか収納しないことが多く、利便性に欠けるという問題があった。
【０００３】
そこで、昇降式吊戸棚が提案され、既に実用に供されている（例えば、特許文献１，２参照）。この昇降式吊戸棚は、下方が開口した固定式の外キャビネットと前面が開口した可動式の内キャビネットを備え、内キャビネットを昇降動可能として不使用時にはこれを外キャビネット内に収納し、食器類等を出し入れする際には電動によって内キャビネットをユーザーのアイレベルまで降ろすようにしたものである。このため、ユーザーはアイレベルまで降りた内キャビネットに対して台所用品や食器類等を作業性良く容易に出し入れすることができ、出し入れ作業が終了すると内キャビネットを上昇させて外キャビネット内に収納することができる。
【先行技術文献】
【特許文献】
【０００４】
【特許文献１】特開２００３−００９９６１号公報
【特許文献２】特開２００２−２１９０２６号公報
【発明の概要】
【発明が解決しようとする課題】
【０００５】
ところで、昇降式吊戸棚の内キャビネットの左右の側板間には棚板が水平に架設されるが、この棚板には例えばキッチンペーパーやまな板等の調理用具を支持するためのハンガーが固設されていた。
【０００６】
ところが、上述のようにハンガーを固設すると、その用途が限定されるとともに、内キャビネット内の収納レイアウトを自由に変更することができないという問題がある。
【０００７】
本発明は上記問題に鑑みてなされたもので、その目的とする処は、棚板に取り付けられるハンガーを用途に応じて自由に付け替えることができるとともに、内キャビネット内の収納レイアウトを自由に変更することができる昇降式吊戸棚を提供することにある。
【課題を解決するための手段】
【０００８】
上記目的を達成するため、請求項１記載の発明は、下方が開口した固定式の外キャビネットと、前面が開口した可動式の内キャビネットを備え、前記内キャビネットを前記外キャビネットに対して昇降可能に支持するとともに、該内キャビネットの左右の側板間に棚板を水平に架設して成る昇降式吊戸棚において、前記棚板の下面にガイドレールを左右方向に形成し、該ガイドレールにスライド可能に嵌合するスライドブロックを介してハンガーを前記棚板に左右方向にスライド可能且つ着脱可能に取り付けたことを特徴とする。
【０００９】
請求項２記載の発明は、請求項１記載の発明において、前記スライドブロックを、前記ハンガーを支持する下ブロックと、前記ガイドレールに嵌合し係止した状態と取り外し可能な状態との間で水平回動可能な上ブロックとで構成し、該上ブロックが前記ガイドレールに嵌合し係止した状態で前記下ブロックを前記ハンガーと共にネジによって上ブロックに螺着して位置決め固定することを特徴とする。
【００１０】
請求項３記載の発明は、請求項１又は２記載の発明において、前記内キャビネットの左右の側板の前端縁における高さ方向中間部の一部を後退させ、その後退部の谷のやや上方に前記棚板を取り付けたことを特徴とする。
【発明の効果】
【００１１】
請求項１記載の発明によれば、棚板の下面に形成されたガイドレールに嵌合するスライドブロックを介してハンガーを棚板に左右方向にスライド可能且つ着脱可能に取り付けたため、該ハンガーを棚板に対して左右方向にスライドさせることによって内キャビネット内の収納レイアウトを自由に変更することができる。又、スライドブロックのガイドレールへの嵌合を解除することによって該スライドブロックをハンガーと共に棚板から容易に取り外すことができ、ハンガーをその用途に応じて自由に付け替えることができる。
【００１２】
請求項２記載の発明によれば、ネジによる固定を解除してスライドブロックの下ブロックをハンガーと共に上ブロックから取り外すことができるため、ハンガーをその用途に応じて自由に付け替えることができる。そして、上ブロックをガイドレールに対して回動させてこれのガイドレールへの係止を解除することによって、該上ブロックも棚板から取り外すことができる。又、棚板から取り外された上ブロックをガイドレールに嵌め込んで係止した後、該下ブロックをハンガーと共にネジによって上ブロックに取り付ければ、スライドブロックをハンガーと共に棚板の所望の位置に容易に固定することができる。
【００１３】
請求項３記載の発明によれば、内キャビネットの左右の側板の前端縁における高さ方向中間部の一部を後退させ、その後退部の谷のやや上方に棚板を取り付けたため、棚板に取り付けられたハンガーに吊り下げられた物が側板の後退部の谷の部分に位置することとなり、これの横方向からの視認性が高められる。又、左右の側板の後退部を介して棚板に載置された収納物を横方向からでも見ることができるとともに、ユーザーが正面に立たなくても内キャビネットに対して収納物の出し入れを横方向からでも作業性良く容易に行うことができるため、ユーザーはシンクやガス台から離れることなく、現在行っている作業を継続しながら収納物の出し入れを行うことができ、調理等の作業効率が高められる。
【図面の簡単な説明】
【００１４】
【図１】本発明に係る昇降式吊戸棚の内キャビネットが収納された状態を示す斜視図である。
【図２】本発明に係る昇降式吊戸棚の内キャビネットが収納された状態を示す斜視図である。
【図３】本発明に係る昇降式吊戸棚の内キャビネットを下降させた状態を示す斜視図である。
【図４】本発明に係る昇降式吊戸棚の側面図である。
【図５】本発明に係る昇降式吊戸棚の側断面図である。
【図６】本発明に係る昇降式吊戸棚の内キャビネットの棚板部分の一部を破断して示す部分斜視図である。
【図７】（ａ），（ｂ）は図６のＡ部拡大詳細図である。
【図８】（ａ）はスライドブロックの分解斜視図、（ｂ）は同スライドブロックの斜視図である。
【図９】（ａ），（ｂ）はスライドブロックの作用を示す上ブロックの底面図である。
【図１０】本発明に係る昇降式吊戸棚のハンガーの使用形態を示す内キャビネットの斜視図である。
【図１１】本発明に係る昇降式吊戸棚のハンガーの使用形態を示す内キャビネットの斜視図である。
【図１２】本発明に係る昇降式吊戸棚のハンガーの他の使用形態を示す斜視図である。
【図１３】本発明に係る昇降式吊戸棚のハンガーの他の使用形態を示す斜視図である。
【発明を実施するための形態】
【００１５】
以下に本発明の実施の形態を添付図面に基づいて説明する。
【００１６】
図１は本発明に係る昇降式吊戸棚の内キャビネットが収納された状態を示す斜視図、図２は同昇降式吊戸棚の内キャビネットを下降させた状態を示す斜視図、図３は同昇降式吊戸棚の正面図、図４は同昇降式吊戸棚の側面図、図５は同昇降式吊戸棚の側断面図、図６は同内キャビネットの棚板部分の一部を破断して示す部分斜視図、図７（ａ），（ｂ）は図６のＡ部拡大詳細図、図８（ａ）はスライドブロックの分解斜視図、図８（ｂ）は同スライドブロックの斜視図、図９（ａ），（ｂ）は同スライドブロックの作用を示す上ブロクの底面図、図１０及び図１１はハンガーの使用形態を示す内キャビネットの斜視図である。
【００１７】
図１〜図４に示す本発明に係る昇降式吊戸棚１は、キッチンのシンクや調理台、ガス台等（何れも不図示）の上方に設置されるものであって、天井或いは壁面に固定される矩形箱状の外キャビネット２と、該外キャビネット２に対して昇降動可能な矩形箱状の内キャビネット３を備えている。
【００１８】
上記外キャビネット２は木製であって、その下方は内キャビネット３が通過し得るように開口している。尚、図示しないが、外キャビネット２内の上部には内キャビネット３を電動によって自動で昇降動させるための昇降機構が設けられており、この昇降機構は、駆動源である電動モータ、該電動モータの回転をプーリに伝達するギヤ、プーリに巻き掛けられた左右一対のベルト等によって構成されている。そして、左右のベルトの端部には内キャビネット３が吊り下げられており、該内キャビネット３は、外キャビネット２の左右の側板２ａの内面に垂直に固定された不図示のガイドレールに沿って昇降し、その内部に収容された食器類等の不図示の収納物を出し入れする際には図２に示すように下降して外キャビネット２の下方に露出し、それ以外のときには上昇して図１に示すように外キャビネット２内に収納されている。
【００１９】
又、外キャビネット２の前面下端には全幅に亘って操作ユニット４が手前側に向かって突設されており、この操作ユニット４の前面の一端（右端）には、電源のＯＮ／ＯＦＦボタン（例えば、照明のボタン等）、昇降ボタン等が配設された操作部５が設けられている。
【００２０】
他方、内キャビネット３は樹脂製であって、その前面が開口しており、その左右の側板３ａの前端縁の高さ方向中間部分の一部（後述の後退部）３Ａは図４及び図５に示すように側面視くの字状に後退している。ここで、側面視くの字状の後退部３Ａは、そのくの字の谷が各側板３ａの高さ方向略中央に位置するよう形成されており、左右の側板３ａの高さ方向略中間間に形成された後退部３Ａの谷のやや上方には棚板６が水平に架設されている。即ち、棚板６は、左右の側板３ａの後退部３Ａの谷の部分、つまり側板３ａの奥行き幅が最小の部位の近くに配設されているため、奥行き幅は従来のもののそれよりは狭くなっている。因に、従来の棚板は側板の幅寸法と同等の大きな奥行き幅を有している。尚、左右の側板３ａには剛性を高めるためのビード３ｂが形成されている。
【００２１】
上記棚板６はアルミニウムの押し出し成形品であって、図５及び図６に示すように、その前端縁には円筒部６Ａが形成され、該円筒部６Ａの内部には図７に示すようにフック６ａが横方向（図７の紙面垂直方向）に沿って一体に形成されている。又、図５及び図６に示すように、棚板６の後端部６Ｂは上方に向かって略直角に折り曲げられおり、その上下には上方と下方に向かって開口するフック６ｂ，６ｃがそれぞれ一体に形成されている。そして、この棚板６の前端部は、内キャビネット３の左右の側板３ａに水平に架設された丸棒状のバー７にフック６ａを嵌め込むことによって左右の側板３ａに支持され、後端部６Ｂは、フック６ｃを内キャビネット３の背面板３ｃの上端縁に嵌め込むことによって内キャビネット３に支持されている。
【００２２】
而して、棚板６の下面の前端側には平行な２本のガイドレール６ｄ，６ｅが左右方向に一体に形成され、奥側には１本のガイドレール６ｆが左右方向に一体に形成されている。そして、前側の２本のガイドレール６ｄ，６ｅには、ハンガー８に取り付けられたスライドブロック９が左右方向にスライド可能に嵌合している。
【００２３】
上記ハンガー８は、図１０及び図１１に示すように、まな板１０を収納するためのものであって、左右一対設けられており、これらはスライドブロック９を介して棚板６のガイドレール６ｄ，６ｅに沿って左右方向にスライド可能に支持されている。ここで、各ハンガー８は、図５及び図６に示すように、矩形枠状の受け部８Ａと、該受け部８Ａから前方に向かって前方へ水平に延びるガイド部８Ｂを備えており、その受け部８Ａの前端上部にスライドブロック９が取り付けられ、受け部８Ａの上部後端が棚板６の下面後端部に形成されたガイドレール６ｆ上に嵌め込まれて支持されている。
【００２４】
スライドブロック９は、図８に示すように、ハンガー８を固定する矩形の下ブロック９Ｂと、該下ブロック９Ｂにネジ１１によって螺着されて位置決め固定される六角形の上ブロック９Ａとで構成されている。ここで、上ブロック９Ａは、これに形成された挿通孔９ａに上方から挿通するネジ１１を下ブロック９Ｂに形成されたネジ孔９ｂにねじ込むことによってネジ１１を中心として水平に回動可能に支持されており、図９に示すように、これには弾性を有するバネ部９ｃが一体に形成されている。又、上ブロック９Ａの相対向する平行な２辺には嵌合段部９ｄが形成されている。
【００２５】
而して、図９に示すように、スライドブロック９の上ブロック９Ａの図示の幅ｂ１は２本のガイドレール６ｄ，６ｅ間の幅Ｂよりも狭く設定されており（ｂ１＜Ｂ）、図示の幅ｂ２（嵌合段部６ｄが形成された２辺間の幅）ｂ２はガイドレール６ｄ，６ｅ間の幅Ｂよりも広く設定されている（ｂ２＞Ｂ）。
【００２６】
而して、ハンガー８を棚板６に取り付ける場合には、スライドブロック９の上ブロック９Ａを図９（ａ）に示すように幅ｂ１の部分がガイドレール９ｄ，９ｅの間に位置するようにセットすると、図７（ａ）に示すように該上ブロック９Ａを２本のガイドレール６ｄ，６ｅの間に通すことができる。そして、この状態から上ブロック９Ａを所定角度だけ回動させ、図９（ｂ）に示すように該上ブロック９Ａに形成された嵌合段部９ｄがガイドレール６ｄ，６ｅに平行になるようにセットすれば、図７（ｂ）に示すように嵌合段部９ｄがガイドレール６ｄ，６ｅに係合し、上ブロック９Ａのガイドレール６ｄ，６ｅからの脱落が防がれる。この状態で、ハンガー８の受け部８Ａの後端上部をガイドレール６ｆに嵌め込むとともに、該ハンガー８が取り付けられた下ブロック９Ｂをネジ１１によって上ブロック９Ａに螺着して位置決め固定すれば、ハンガー８がスライドブロック９を介して棚板６に左右方向にスライド可能に取り付けられる。
【００２７】
又、以上のようにして棚板６にスライド可能に取り付けられたハンガー８は、以上とは逆の手順によって棚板６から取り外すことができる。即ち、スライドブロック９のネジ１１を緩めて下ブロック９Ｂをハンガー８と共に上ブロック９Ａから取り外せば、ハンガー８を棚板６から取り外すことができる。そして、上ブロック９Ａを図９（ｂ）に示す位置から図９（ｂ）に示す位置まで回せば、図７（ａ）に示すように上ブロック９Ａの嵌合段部９ｄのガイドレール６ｄ，６ｅとの係合が解除されるため、上ブロック９Ａ棚板６から容易に取り外すことができる。
【００２８】
而して、内キャビネット３内の棚板６等には食器類等の不図示の収納物が載置されて収納されるが、前述のように内キャビネット３は外キャビネット２の左右の側板２ａの内面に固設された左右一対のガイドレール（不図示）に沿って昇降動可能に支持されている。
【００２９】
ところで、内キャビネット３に対して食器類等を出し入れしない場合、つまり内キャビネット３の不使用時には、該内キャビネット３は図１に示すように外キャビネット２内に収納されている。このように不使用時には内キャビネット３が外キャビネット２内に収納されて外部に露出しないため、内キャビネット３によって外観が阻害されたり、内キャビネット３が作業の邪魔になるという不具合が発生することがない。
【００３０】
そして、内キャビネット３に対して食器類等を出し入れする際には、外キャビネット２の前面下端に突設された操作ユニット４の操作部５を操作して不図示の昇降機構を駆動し、不図示のベルトを送り出すと内キャビネット３は外キャビネット２側に設けられた不図示のガイドレールに沿って下降する。すると、内キャビネット３は図２〜図４に示すように外キャビネット２から下方へ完全に引き出され、これがユーザーのアイレベルまで降りた時点で昇降機構の駆動が停止され、内キャビネット３は図示位置に停止してその前面が開口される。
【００３１】
上述のように内キャビネット３がユーザーのアイレベルまで降りてその前面が開口すると、ユーザーは内キャビネット３に対して食器類等の収納物を出し入れすることができるが、本実施の形態では、内キャビネット３の左右の側板３ａの前端縁の高さ方向中間部の一部（本実施の形態では高さ方向中央部）を側面視くの字状に後退させ、その後退部３Ａの谷のやや上方に棚板６を取り付けたため、棚板６に取り付けられたハンガー８に吊り下げられた物（例えば、図１０に示すまな板１０）が側板３ａの後退部３Ａの谷の部分に位置することとなり、これの横方向からの視認性が高められる。又、左右の側板３ａの後退部３Ａを介して棚板６上に載置された収納物を横方向からでも見ることができるとともに、ユーザーが正面に立たなくても内キャビネット３に対して収納物の出し入れを横方向からでも作業性良く容易に行うことができるため、ユーザーはシンクやガス台等から離れることなく、現在行っている作業を継続しながら収納物の出し入れを行うことができ、調理等の作業効率が高められる。
【００３２】
そして、内キャビネット３に対する収納物の出し入れが終了すると、操作部５を操作して不図示の昇降機構を駆動すれば、不図示のベルトが巻き取られて内キャビネット３が外キャビネット２側に設けられた不図示のガイドレールに沿って上昇し、図１に示すように内キャビネット３が外キャビネット２内に収容される。
【００３３】
而して、本実施の形態に係る昇降式吊戸棚１によれば、図１０及び図１１に示すように左右一対のハンガー８をスライドブロック９を介して棚板６に取り付けたため、図１０に示すようにまな板１０を左右のハンガー８のガイド部８Ｂに沿って奥側に押し込めば、図１１に示すようにまな板１０を左右のハンガー８の受け部８Ａによって受けて支持することができる。
【００３４】
又、スライドブロック９の下ブロック９Ｂの上ブロック９Ａへのネジ１１による固定を解除することによって、下ブロック９Ｂをハンガー８と共に棚板６から容易に取り外すことができ、又、取り外した下ブロック９Ｂをハンガー８と共にネジ１１によって上ブロック９Ａに取り付けることによって、ハンガー８を棚板６に容易に取り付けることができるため、ハンガー８をその用途に応じて自由に付け替えることができる。例えば、図１２に示すように棚板６に左右一対のハンガー１２と篭型のハンガー１３を取り付け、図１３に示すように左右一対のハンガー１２をキッチンペーパー１４を回動可能に支持する用途に供し、篭型のハンガー１５を食器類等を載置する用途に供することができる。特に、本実施の形態では、スライドブロック９の下ブロック９Ｂを上ブロック９Ａに対して着脱することによって、図２〜図６に示すハンガー８や図１２及び図１３に示すハンガー１２，１３を棚板６に対して着脱することができる。そして、スライドブロック９の上ブロック９Ａをガイドレール６ｄ，６ｅに沿ってスライドさせることによって、スライドブロック９をハンガー８，１２，１３と共に棚板６の所望の位置に容易に固定することができる。
【００３５】
更に、本実施の形態では、図２〜図６に示すハンガー８や図１２及び図１３に示すハンガー１２，１３を棚板６に対して左右方向にスライドさせることができるため、内キャビネット内３の収納レイアウトを自由に変更することができる。例えば、図１２及び図１３に示すハンガー１２，１３の配置を左右逆にすることによって、内キャビネット３内の収納レイアウトを変更することができる。
【符号の説明】
【００３６】
１          昇降式吊戸棚
２          外キャビネット
２ａ        外キャビネットの側板
３          内キャビネット
３Ａ        内キャビネットの後退部
３ａ        内キャビネットの側板
３ｂ        内キャビネットのビード
３ｃ        内キャビネットの反面板
４          操作ユニット
５          操作部
６          棚板
６Ａ        棚板の円筒部
６Ｂ        棚板の後端部
６ａ〜６ｃ  棚板のフック
６ｄ〜６ｆ  棚板のガイドレール
７          バー
８          棚板
９          スライドブロック
９Ａ        スライドブロックの上ブロック
９Ｂ        スライドブロックの下ブロック
９ａ        上ブロックの挿通孔
９ｂ        下ブロックのネジ孔
９ｃ        上ブロックのバネ部
９ｄ        上ブロックの嵌合段部
１０        まな板
１１        ネジ
１２，１３  ハンガー
１４        キッチンペーパー
【図１】
2010253001.tif 000003
【図２】
2010253001.tif 000004
【図３】
2010253001.tif 000005
【図４】
2010253001.tif 000006
【図５】
2010253001.tif 000007
【図６】
2010253001.tif 000008
【図７】
2010253001.tif 000009
【図８】
2010253001.tif 000010
【図９】
2010253001.tif 000011
【図１０】
2010253001.tif 000012
【図１１】
2010253001.tif 000013
【図１２】
2010253001.tif 000014
【図１３】
2010253001.tif 000015